(57)【特許請求の範囲】
【請求項１】
カバー体と、
このカバー体を壁面に対して支持する一対の支持アームとを備えており、
カバー体は、
光源の下方を覆う横板部と、
この横板部の前端側から上方に向けて突き出して光源の前方を覆う縦板部と、
この縦板部の上部から壁面側に向けて突き出す上部挿入板部と、
前記横板部の後端側に形成された下部挿入板部とを備えており、
一対の支持アームはそれぞれ、
その後端部の背面側に壁面への取付部を備えると共に、
その前端部の上部にカバー体の上部挿入板部を前方から受け入れる第一の挿入凹部を有し、
かつ、その後端部の前面側にカバー体の下部挿入板部を前方から受け入れる第二の挿入凹部を有しており、
この第一の挿入凹部及び第二の挿入凹部の双方又はいずれか一方に、挿入されるカバー体の上部挿入板部及び下部挿入板部の双方又はいずれか一方に形成された被掛合部に対し、この挿入に伴って一旦弾性変形された後のこの挿入の終了位置での弾発により掛合される掛合部が形成してあり、
しかも、支持アームの前端部の上部に、第一の挿入凹部の入り口との間に間隔を開けて上方に突き出す引っ掛け突部が形成してあることを特徴とする照明カバーの取付構造。
【請求項２】
被掛合部が、カバー体の上部挿入板部及び下部挿入板部の双方又はいずれか一方の先端部に形成された膨出部により構成されていると共に、
掛合部が、第一の挿入凹部及び第二の挿入凹部の双方又はいずれか一方の内壁を構成する弾性片に形成された膨出部により構成されていることを特徴とする請求項１記載の照明カバーの取付構造。
【請求項３】
カバー体の下部挿入板部が、このカバー体の横板部の後端との間に間隔を開けてこの横板部の上面から上方に突き出す連接板部の上部から壁面側に向けて突き出すように形成されていると共に、
支持アームの後端部の前面側に、上面を第二の挿入凹部の下部内壁とすると共に、下面の少なくとも一部を前記カバー体の横板部の後端と前記連接板部との間への当接面とした突出部が形成してあることを特徴とする請求項１又は請求項２記載の照明カバーの取付構造。
【請求項４】
支持アームの前端部の下部に、この支持アームの下方にカバー体の上部挿入板部を配した状態でのカバー体の壁面側への移動をこの上部挿入板部に突き当たって阻止する誤組み付け防止突部が形成してあることを特徴とする請求項１、請求項２又は請求項３記載の照明カバーの取付構造。
【請求項５】
支持アームにおける第一の挿入凹部の上方に、この第一の挿入凹部の入り口に向かうに連れて次第に前方に張り出す傾斜面が形成してあることを特徴とする請求項１、請求項２、請求項３又は請求項４記載の照明カバーの取付構造。
【発明の詳細な説明】
【０００１】
【発明の属する技術分野】
この発明は、照明装置を構成する光源を覆う照明カバーの取付構造の改良に関する。
【０００２】
【従来の技術】
照明装置のカバー取付構造として、公開実用新案公報所載の実開昭５３−１３１６８５に示されるタイプのものがある。この従来の取付構造は、器具本体の両側端に形成されたコの字形折り曲げ部に対し、カバーの両側端に形成されたコの字形折り曲げ部の水平の折り曲げ部を器具本体のコの字形折り曲げ部の上に乗せてカバーを器具本体に装着するものである。
【０００３】
【発明が解決しようとする課題】
しかし、この従来の取付構造は、照明装置を構成する光源の上方、下方、さらに、その全周を覆うものであり、この光源からの光を天井面に反射させての間接照明効果を奏させるようにこの光源を覆うものとはなり得ない。
【０００４】
また、この従来の取付構造は、カバーを下方から上方に移動させながら天井側に取り付けるものであり、（前記公報所載の実開昭５３−１３１６８５に係る図面の第３図参照）この取り付け、および、光源となる蛍光灯などの交換などにあたってのその取り外しは必ずしも容易でない。
【０００５】
そこで、この発明は、間接照明効果を奏させることもできるように、照明装置を構成する光源の下方及び前方をカバー体の上部と天井との間に間隔を開けた状態で覆うと共に、このカバー体の取り付け及び取り外しを容易とした照明カバーの取付構造の提供を主たる目的とする。
【０００６】
【課題を解決するための手段】
前記目的を達成するために、請求項１記載の発明にあっては、照明カバーの取付構造が以下の（１）〜（５）の構成を備えたものとした。
（１）カバー体と、
（２）このカバー体を壁面に対して支持する一対の支持アームとを備えており、
（３）カバー体は、
光源の下方を覆う横板部と、
この横板部の前端側から上方に向けて突き出して光源の前方を覆う縦板部と、
この縦板部の上部から壁面側に向けて突き出す上部挿入板部と、
前記横板部の後端側に形成された下部挿入板部とを備えており、
（４）一対の支持アームはそれぞれ、
その後端部の背面側に壁面への取付部を備えると共に、
その前端部の上部にカバー体の上部挿入板部を前方から受け入れる第一の挿入凹部を有し、
かつ、その後端部の前面側にカバー体の下部挿入板部を前方から受け入れる第二の挿入凹部を有しており、
（５）この第一の挿入凹部及び第二の挿入凹部の双方又はいずれか一方に、挿入されるカバー体の上部挿入板部及び下部挿入板部の双方又はいずれか一方に形成された被掛合部に対し、この挿入に伴って一旦弾性変形された後のこの挿入の終了位置での弾発により掛合される掛合部が形成してあり、
（６）しかも、支持アームの前端部の上部に、第一の挿入凹部の入り口との間に間隔を開けて上方に突き出す引っ掛け突部が形成してある。
【０００７】
かかる構成によれば、一対の支持アームの第一の挿入凹部にそれぞれカバー体の上部挿入板部を前方から入れ込むと共に、一対の支持アームの第二の挿入凹部にそれぞれカバー体の下部挿入板部を前方から入れ込むことにより、前記光源の下方をこのカバー体の横板部で覆い、かつ、この光源の前方をこのカバー体の縦板部により覆った状態で、壁面に対しカバー体を取り付けさせることができる。また、カバー体の上方は開放されており、また、支持アームはこのカバー体の上部と天井面との間に間隔を空けた状態でこのカバー体を壁面に取り付け得ることから、この間隔を利用した間接照明効果を持たせた状態での光源のカバーを容易かつ適切になすことができる。また、カバー体の長さ方向両側にある端末は開放されていることから、カバー体内に生じた露などに起因した水がカバー体内に溜まり難い。
【０００８】
また、支持アームにおける第一の挿入凹部及び第二の挿入凹部の双方又はいずれか一方に、挿入されるカバー体の上部挿入板部及び下部挿入板部の双方又はいずれか一方に形成された被掛合部に対し、この挿入に伴って一旦弾性変形された後のこの挿入の終了位置での弾発により掛合される掛合部が形成してあることから、一対の支持アームの第一の挿入凹部にそれぞれカバー体の上部挿入板部を前方から入れ込むと共に、一対の支持アームの第二の挿入凹部にそれぞれカバー体の下部挿入板部を前方から入れ込むことによって、再び単純にはこの支持アームからカバー体が外れない状態をワンタッチで作り出すことができる。
【０００９】
また、照明器具を構成する光源の交換などが必要になった場合には、前記掛合部と被掛合部との掛合を解く大きさの力でカバー体を壁面から離れ出す向きに引っ張ることにより、一対の支持アームとカバー体との取り付け状態を解除することができる。
【００１０】
また、照明器具を構成する光源の交換などをなすために支持アーム側の掛合部とカバー体側の被掛合部との掛合を解く大きさの力でカバー体を壁面から離れ出す向きに引っ張り、この掛合が解かれた場合であっても、引っ掛け突部における壁面側に向けられた側にカバー体の上部挿入板部の先端を引っ掛けさせて、前記掛合を解かれたカバー体が予期せず落下してしまわないようにすることができる。
【００１１】
また、請求項２記載の発明にあっては、請求項１記載の照明カバーの取付構造における被掛合部が、カバー体の上部挿入板部及び下部挿入板部の双方又はいずれか一方の先端部に形成された膨出部により構成されていると共に、
掛合部が、第一の挿入凹部及び第二の挿入凹部の双方又はいずれか一方の内壁を構成する弾性片に形成された膨出部により構成されていることを特徴としている。
【００１２】
かかる構成によれば、上部又は下部挿入板部の入れ込みに伴ってその膨出部を弾性片の膨出部に突き当ててこの弾性片を弾性的に撓み込ませることができ、この後、この上部又は下部挿入板部の膨出部の頂部が弾性片の膨出部の頂部を乗り越える位置まで入れ込ませることにより、弾性片を弾発により元の位置に復帰させることができ、これによりこの弾性片の膨出部と上部又は下部挿入板部に形成された膨出部とを掛合させ合わせることができる。
【００１３】
また、照明器具を構成する光源の交換などが必要になった場合には、前記弾性片を再び撓み出させる大きさの力でカバー体を壁面から離れ出す向きに引っ張ることにより、この弾性片の膨出部と上部又は下部挿入板部の膨出部との掛合を解いて一対の支持アームとカバー体との取り付け状態を解除することができる。
【００１４】
また、請求項３記載の発明にあっては、請求項１又は請求項２記載の照明カバーの取付構造におけるカバー体の下部挿入板部が、このカバー体の横板部の後端との間に間隔を開けてこの横板部の上面から上方に突き出す連接板部の上部から壁面側に向けて突き出すように形成されていると共に、
支持アームの後端部の前面側に、上面を第二の挿入凹部の下部内壁とすると共に、下面の少なくとも一部を前記カバー体の横板部の後端と前記連接板部との間への当接面とした突出部が形成してあることを特徴としている。
【００１５】
かかる構成によれば、カバー体の横板部の後端側に形成された下部挿入板部がこの横板部の上面側から上方に突き出す連接板部の上部に連接されていることから、カバー体の上部と横板部の内面との間に広い内部空間を形成させることができる。
【００１６】
また、カバー体の横板部の後端と連接板部との間が支持アームの突出部の下面により構成される当接面に対し、このカバー体を一対の支持アームに取り付けた状態において下方から当接されることから、カバー体の前端側が下方に下がろうとする力をこの当接によって受けることができ、一対の支持アームとカバー体との取り付け状態をより安定的に確保することができる。また、支持アームの下方をカバー体によって覆うことができ、見栄え良く照明装置を構成する光源を覆うことができる。
【００１７】
また、請求項４記載の発明にあっては、請求項１、請求項２又は請求項３記載の照明カバーの取付構造における支持アームの前端部の下部に、この支持アームの下方にカバー体の上部挿入板部を配した状態でのカバー体の壁面側への移動をこの上部挿入板部に突き当たって阻止する誤組み付け防止突部が形成してあることを特徴としている。
【００１８】
かかる構成によれば、下部横板部は第二の挿入凹部に入り込むレベルにあるが、上部挿入板部は支持アームの前端部の下方に位置される状態においては、この誤組み付け防止突部の前面によって上部挿入板部がそれ以上壁面側に移動できないように、つまり、下部挿入板部の第二の挿入凹部への入り込みを阻止することができ、下方からのカバー体の取り付けを常に適切に行なうことができる。
【００１９】
また、請求項５記載の発明にあっては、請求項１、請求項２、請求項３又は請求項４記載の照明カバーの取付構造を構成する支持アームにおける第一の挿入凹部の上方に、この第一の挿入凹部の入り口に向かうに連れて次第に前方に張り出す傾斜面が形成してあることを特徴としている。
【００２０】
かかる構成によれば、前記傾斜面に突き当てられたカバー体の上部挿入板部の先端をこの傾斜面によって第一の挿入凹部の入り口に導いて、下方からの一対の支持アームに対するカバー体の取り付けをより容易になすことができる。
【００２１】
【発明の実施の形態】
以下、図１ないし図１０に基づいて、この発明の典型的な実施の形態について説明する。
【００２２】
なお、ここで図１ないし図５は、照明カバーの取付構造を構成する支持アーム２をそれぞれ示しており、また、図６および図７は、この照明カバーの取付構造によるカバー体１の取り付け状態をそれぞれ示しており、また、図８は、照明カバーの取付構造を構成するカバー体１を示している。また、図９は、支持アーム２との掛合が解かれたカバー体１が支持アーム２の引っ掛け突部２９にカバー体１の上部挿入板部１２を引っかけている状態を示しており、さらに、図１０は、支持アーム２の誤組み付け防止突部２８にカバー体１の上部挿入板部１２が突き当たっている状態を示している。
【００２３】
この実施の形態にかかる照明カバーの取付構造は、壁面Ｈに対し支持されるカバー体１を有しており、このカバー体１によって、照明装置を構成する蛍光灯などの光源Ｋの下方及び前方をこのカバー体１の上部と天井面Ｒとの間に間隔Ｓを開けた状態で、覆うものである。
【００２４】
すなわち、かかる照明カバーの取付構造は、前記カバー体１の上部と天井面Ｒとの間に間隔Ｓを開けた状態で前記のように光源Ｋを覆って、この間隔Ｓを利用した間接照明効果を奏させるものである。
【００２５】
かかる照明カバーの取付構造は、カバー体１と、このカバー体１を壁面Ｈに対して支持する一対の支持アーム２、２とを備えている。
【００２６】
一対の支持アーム２、２はそれぞれ、他方の支持アーム２との間に水平方向に間隔を開けた状態で、後述する取付部２２をもってその後端部２１において壁面Ｈに取り付けられる。（図６）そして、かかる照明カバーの取付構造は、このように取り付けられる一対の支持アーム２、２間に前記光源Ｋが配されると共に、このように取り付けられた一対の支持アーム２、２にカバー体１を取り付けることによって前記光源Ｋを前記のようにこのカバー体１によって覆うものである。
【００２７】
（カバー体１）
カバー体１は、
（１）光源Ｋの下方を覆う横板部１０と、
（２）この横板部１０の前端側から上方に向けて突き出して光源Ｋの前方を覆う縦板部１１と、
（３）この縦板部１１の上部から壁面Ｈ側に向けて突き出す上部挿入板部１２と、
（４）前記横板部１０の後端側に形成された下部挿入板部１３とを備えている。
【００２８】
このカバー体１は、典型的には、前記横板部１０と、縦板部１１と、上部挿入板部１２と、下部挿入板部１３とを、プラスチック材料の押し出し成形によって、一体に形成させることにより得ることができる。この場合には、このように得られた押し出し成形品を、所望の長さ寸法に切断することにより、かかるカバー体１を得ることができる。
【００２９】
また、図示の例にあっては、かかるカバー体１はさらに、
カバー体１の下部挿入板部１３が、このカバー体１の横板部１０の後端との間に間隔を開けてこの横板部１０の上面から上方に突き出す連接板部１４の上部から壁面Ｈ側に向けて突き出すように形成されている。
【００３０】
そして、この図示の例にあっては、このカバー体１の下部挿入板部１３に、後述する被掛合部１３ａとなる膨出部１３ｂが形成されている。
【００３１】
具体的には、この図示の例にあっては、
（１）横板部１０は、内外面を共に平坦とするように構成されていると共に、支持アーム２への取り付け状態において、その前端を支持アーム２の前端部２０の直下に位置させ、かつ、その後端を壁面Ｈに突き当てさせる幅を持つように構成されている。
【００３２】
（２）縦板部１１も、内外面を共に平坦とするように構成されており、その下端部を横板部１０の前端に一体に連接させてほぼ鉛直に上方に延びるように構成してある。図示の例では、この縦板部１１と横板部１０との連接部の外面に、カバー体１の長さ方向に沿った上下二段の段差面を形成させる二条の溝１５、１５が設けられている。
【００３３】
（３）上部挿入板部１２は、図示の例にあっては、縦板部１１の上端との間にほぼ直角をなす内外隅部を形成させるようにしてこの縦板部１１の上部に一端を連接させた連接板部１６の他端に形成されている。上部挿入板部１２と連接板部１６との間には、壁面Ｈに向いた外側段差面１７と縦板部１１の内面に向いた内側段差面１８とが形成されており、この外側段差面１７を後述する支持アーム２の第一の挿入凹部２３の入り口２３ａの縁部に突き当てるようにして、この上部挿入板部１２はこの第一の挿入凹部２３に前方から入れ込まれるものとされている。
【００３４】
（４）下部挿入板部１３は、図示の例にあっては、下端を横板部１０の上面に一体に連接させてほぼ鉛直に上方に延びる連接板部１４の上端に一端を連接させて、ほぼ水平に壁面Ｈ側に向けて延びるように形成されている。この連接板部１４は、図示の例では、前記縦板部１１のほぼ半分の突き出し寸法を持つように形成されている。これにより、支持アーム２へのカバー体１の取り付け状態において、上部挿入板部１２は、この支持アーム２の前端部２０の上部に形成された前記第一の挿入凹部２３に、また、下部挿入板部１３は、この支持アーム２の後端部２１の前面側２１ｂであってその下部に形成された後述する第二の挿入凹部２４に、前方側から挿入されて、支持アーム２に組み付けられる。この下部挿入板部１３に形成されている前記膨出部１３ｂは、図示の例では、この下部挿入板部１３の他端側（つまり、先端部）に形成されている。この膨出部１３ｂは、この下部挿入板部１３の上面側と下面側との双方に形成されている。すなわち、かかる膨出部１３ｂは、カバー体１の長さ方向に沿って、この下部挿入板部１３の他端を縁取るように形成されている。また、それぞれの膨出部１３ｂは、その頂部１３ｃを挟んだ両面をそれぞれ、この頂部１３ｃから次第に低まる傾斜面１３ｄとするように形成されている。
【００３５】
（５）また、図示の例にあっては、横板部１０の後端には、カバー体１の長さ方向に沿って、かつ、この横板部１０の後端を縁取るように、上方に向けて突き出す突き当たり部１０ａが形成されており、支持アーム２への取り付け状態において後述するこの支持アーム２の突出部２６の当接面２６ａに対し、この突き当たり部１０ａにおいて横板部１０は当接されるようになっている。
【００３６】
（支持アーム２）
図示の例では、ほぼ同寸同形の二つの支持アーム２、２によって、前記一対の支持アーム２、２を構成させている。
【００３７】
かかる一対の支持アーム２、２はそれぞれ、
（１）その後端部２１の背面側２１ａに壁面Ｈへの取付部２２を備えると共に、
（２）その前端部２０の上部にカバー体１の上部挿入板部１２を前方から受け入れる第一の挿入凹部２３を有し、
（３）かつ、その後端部２１の前面側２１ｂにカバー体１の下部挿入板部１３を前方から受け入れる第二の挿入凹部２４を有している。
（４）また、この第一の挿入凹部２３及び第二の挿入凹部２４の双方又はいずれか一方に、挿入されるカバー体１の上部挿入板部１２及び下部挿入板部１３の双方又はいずれか一方に形成された被掛合部１３ａに対し、この挿入に伴って一旦弾性変形された後のこの挿入の終了位置での弾発により掛合される掛合部２４ａが形成してある。図示の例では、この掛合部２４ａは、前記カバー体１の下部挿入板部１３が入れ込まれる第二の挿入凹部２４内に形成してある。
【００３８】
具体的には、この図示の例にあっては、
（１）支持アーム２は、前記取付部２２によってその後端部２１の背面を壁面Ｈに添装させて取り付けた状態において、この壁面Ｈからほぼ水平方向に突き出すように形成されている。図示の例にあっては、この支持アーム２が取り付けられる壁面Ｈは天井面Ｒに近付くに連れて次第に前方に張り出すように傾斜しており、これに対応して、支持アーム２の後端部２１の背面も上方に向かうに連れて支持アーム２の前端部２０に近付く向きに傾斜した構成としてある。
【００３９】
（２）この後端部２１の前面から前方に向けてアーム主体部２５と、前記突出部２６とが、この後端部２１と一体をなすように形成されている。アーム主体部２５の下方に突出部２６が形成されている。また、このアーム主体部２５と突出部２６との間が、前記第二の挿入凹部２４となるようにしてある。
【００４０】
（３）アーム主体部２５は、その長さ方向に直交し、かつ、上下方向に沿った断面において、上下に長いほぼ長方形の外郭形状内に納まる断面外郭縁を持つように構成されている。図中符号２７で示すのは、このアーム主体部２５に形成された肉抜き部である。このアーム主体部２５の上端面２５ａ（天井面Ｒに向けられる面）は、支持アーム２を壁面Ｈに取り付けた状態において、ほぼ水平をなすように形成されている。また、このアーム主体部２５の下端面２５ｂは、支持アーム２の前端部２０に近付くに連れて次第に上方に近付く向きに傾斜しており、これによりアーム主体部２５は支持アーム２の前端に向かうに連れて上下方向の寸法を狭めるように構成されている。
【００４１】
（４）アーム主体部２５の前端部２０には、前方に向いた段差面２５ｃが形成されている。この段差面２５ｃとアーム主体部２５の最前端との間には、前記カバー体１の上部挿入板部１２の前後方向の幅よりもやや広い間隔が形成されている。また、この段差面２５ｃの下端と、この段差面２５ｃとアーム主体部２５の最前端との間にあるアーム主体部２５の上端面２５ａとの間には、隙間が形成されており、この隙間が前記第一の挿入凹部２３の入り口２３ａとなるようにしてある。
【００４２】
（５）第一の挿入凹部２３は、アーム主体部２５の前後方向に、前記カバー体１の上部挿入板部１２を前方からほぼ隙間なく納める深さを持つように、アーム主体部２５の前端部２０側から後端部２１側に向けて水平方向に窪んだ凹部として構成されている。
【００４３】
（６）第二の挿入凹部２４もまた、前記カバー体１の下部挿入板部１３を前方から納める深さを持つように、支持アーム２の前端部２０側に入り口２４ｇを向けて、かつ、その後端部２１に向けて水平方向に窪んだ凹部として構成されている。
【００４４】
（７）図示の例にあっては、第二の挿入凹部２４内に形成されている前記掛合部２４ａは、この第二の挿入凹部２４の内壁を構成する弾性片２４ｅに形成された膨出部２４ｂにより構成されている。図示の例にあっては、前記アーム主体部２５の下端面２５ｂと突出部２６の上面との間において、この突出部２６の上面とほぼ平行をなすように支持アーム２の後端部２１の前面から一体に突き出す弾性片２４ｅの下面により第二の挿入凹部２４の上部内壁を構成すると共に、この突出部２６の上面によってこの第二の挿入凹部２４の下部内壁を構成している。そして、この弾性片２４ｅの突き出し端側の下面に前記膨出部２４ｂを形成させている。この弾性片２４ｅの上面とアーム主体部２５の下端面２５ｂとの間には、この弾性片２４ｅの上方に向けた弾性変形を許容する隙間２４ｆが形成してある。
【００４５】
（８）また、図示の例にあっては、前記支持アーム２の前端部２０の下部に、この支持アーム２の下方にカバー体１の上部挿入板部１２を配した状態でのカバー体１の壁面Ｈ側への移動をこの上部挿入板部１２に突き当たって阻止する誤組み付け防止突部２８が形成してある。図示の例では、この誤組み付け防止突部２８は、支持アーム２の最前端に上端を一体に連接させて下方に真っ直ぐ延びる板状をなすように構成されている。
【００４６】
（９）また、図示の例にあっては、支持アーム２の前端部２０の上部に、第一の挿入凹部２３の入り口２３ａとの間に間隔を開けて上方に突き出す引っ掛け突部２９が形成してある。図示の例にあっては、この引っ掛け突部２９は、支持アーム２の最前端に下端を一体に連接させて上方に真っ直ぐ延びるリブ状をなすように構成されている。図示の例にあっては、この引っ掛け突部２９は、第一の挿入凹部２３の上下方向の幅とほぼ同じ突き出し寸法を持つように形成されている。
【００４７】
（１０）また、図示の例にあっては、取付部２２は、壁面Ｈに形成された穴部に入れ込まれる下部突部２２ａと、壁面Ｈにネジ付けられるビスＮの入れ込み穴２２ｂとによって構成されている。図示の例にあっては、下部突部２２ａは支持アーム２の後端部２１の背面から突き出すように設けられており、また、入れ込み穴２２ｂは、この支持アーム２の後端部２１を貫通すると共に、ビスＮの軸部を通すがビスＮの頭部は通さない大きさの穴として構成されている。そして、この下部突部２２ａの上方に入れ込み穴２２ｂが形成してある。下部突部２２ａを壁面Ｈに形成された穴部（図示は省略する。）に対しこの壁面Ｈに支持アーム２の後端部２１の背面が添装されるように入れ込むと共に、前記入れ込み穴２２ｂに支持アーム２の後端部２１の前面側２１ｂからビスＮの軸部を入れ込み、この軸部を壁面Ｈ側にネジ付けることにより、支持アーム２は壁面Ｈに取り付けられる。
【００４８】
（支持アーム２へのカバー体１の取り付け）
一対の支持アーム２、２間に、照明装置を構成する光源Ｋ（図示の例では蛍光灯）が配されるように、この一対の支持アーム２、２をそれぞれ前記のように壁面Ｈに取り付ける。この取り付けは、一対の支持アーム２、２のレベルが同じくなるようにしてなされる。
【００４９】
次いで、一対の支持アーム２、２の第一の挿入凹部２３にそれぞれカバー体１の上部挿入板部１２を前方から入れ込むと共に、一対の支持アーム２、２の第二の挿入凹部２４にそれぞれカバー体１の下部挿入板部１３を前方から入れ込む。これにより、前記光源Ｋの下方をこのカバー体１の横板部１０で覆い、かつ、この光源Ｋの前方をこのカバー体１の縦板部１１により覆った状態で、壁面Ｈに対しカバー体１を取り付けさせることができる。また、カバー体１の上方は開放されており、また、支持アーム２はこのカバー体１の上部と天井面Ｒとの間に間隔を空けた状態でこのカバー体１を壁面Ｈに取り付け得ることから、この間隔を利用した間接照明効果を持たせた状態での光源Ｋのカバーを容易かつ適切になすことができる。また、カバー体１の長さ方向両側にある端末は開放されていることから、カバー体１内に生じた露などに起因した水がカバー体１内に溜まり難い特長を有する。
【００５０】
また、支持アーム２における第一の挿入凹部２３及び第二の挿入凹部２４の双方又はいずれか一方に、挿入されるカバー体１の上部挿入板部１２及び下部挿入板部１３の双方又はいずれか一方に形成された被掛合部１３ａ（図示の例では下部挿入板部１３に形成されている。）に対し、この挿入に伴って一旦弾性変形された後のこの挿入の終了位置での弾発により掛合される掛合部２４ａ（図示の例では第二の挿入凹部２４に形成されている。）が形成してあることから、一対の支持アーム２、２の第一の挿入凹部２３にそれぞれカバー体１の上部挿入板部１２を前方から入れ込むと共に、一対の支持アーム２、２の第二の挿入凹部２４にそれぞれカバー体１の下部挿入板部１３を前方から入れ込むことによって、再び単純にはこの支持アーム２からカバー体１が外れない状態をワンタッチで作り出すことができる。
【００５１】
図示の例にあっては、被掛合部１３ａは、下部横板部１０の上下両面に形成された膨出部１３ｂとされ、かつ、掛合部２４ａは、第二の挿入凹部２４の上部内壁を構成する弾性片２４ｅに形成された膨出部２４ｂとして構成されている。そして、この弾性片２４ｅの膨出部２４ｂの頂部２４ｃと第二の挿入凹部２４の下部内壁との間の間隔が下部横板部１０の上面に形成された膨出部１３ｂの頂部１３ｃとこの下部横板部１０の下面に形成された膨出部１３ｂの頂部１３ｃとの間の間隔よりもやや狭くなるように構成されている。この結果、図示の例にあっては、第二の挿入凹部２４にカバー体１の下部挿入板部１３を前方から入れ込むことに伴って、先ず、下部挿入板部１３の膨出部１３ｂを弾性片２４ｅの膨出部２４ｂに突き当ててこの弾性片２４ｅを上方に弾性的に撓み込ませることができる、この後、さらにこの第二の挿入凹部２４にカバー体１の下部挿入板部１３を、この下部挿入板部１３に形成された膨出部１３ｂの頂部が弾性片２４ｅの膨出部２４ｂの頂部２４ｃを乗り越える位置まで（つまり、この挿入の終了位置まで）入れ込ませると、弾性片２４ｅは弾発して元の位置に復帰され、これによりこの弾性片２４ｅの膨出部２４ｂと下部挿入板部１３に形成された膨出部１３ｂとが掛合し合うこととなり、この下部挿入板部１３はこの弾性片２４ｅを再び上方に撓み込ませる程度の力でカバー体１を壁面Ｈから離れ出す向きに引っ張らない限り第二の挿入凹部２４から抜け出すことはなく、支持アーム２とカバー体１との組み付け状態は安定的に維持される。
【００５２】
照明器具を構成する光源Ｋの交換などが必要になった場合には、前記掛合部２４ａと被掛合部１３ａとの掛合を解く大きさの力でカバー体１を壁面Ｈから離れ出す向きに引っ張ることにより、一対の支持アーム２、２とカバー体１との取り付け状態を解除することができる。
【００５３】
前記掛合部２４ａとなる弾性片２４ｅの膨出部２４ｂは、その頂部２４ｃの両側にこの頂部２４ｃに近付くに連れてこの膨出部２４ｂの突き出し寸法を次第に大きくさせる傾斜面２４ｄを備えていることから、被掛合部１３ａとなるカバー体１の下部挿入板部１３の膨出部１３ｂの傾斜面１３ｄと相まって、この掛合部２４ａと被掛合部１３ａとの掛合のための弾性片２４ｅの撓み出しは両傾斜面１３ｄ、２４ｄの当接によって無理なくなされ、また、その掛合の解除のための弾性片２４ｅの撓み出しも両傾斜面１３ｄ、２４ｄの当接によって無理なくなされる。
【００５４】
図示の例にあっては、カバー体１の横板部１０の後端側に形成された下部挿入板部１３がこの横板部１０の上面側から上方に突き出す連接板部１４の上部に連接されていることから、カバー体１の上部と横板部１０の内面との間に広い内部空間を形成させることができる。
【００５５】
また、図示の例にあっては、カバー体１の横板部１０の後端と連接板部１４との間（具体的には、カバー体１の横板部１０の突き当たり部１０ａ）が支持アーム２の突出部２６の下面により構成される当接面２６ａに対し、このカバー体１を一対の支持アーム２、２に取り付けた状態において下方から当接されることから、カバー体１の前端側が下方に下がろうとする力をこの当接によって受けることができ、一対の支持アーム２、２とカバー体１との取り付け状態をより安定的に確保することができるようになっている。また、支持アーム２の下方をカバー体１によって覆うことができ、見栄え良く照明装置を構成する光源Ｋを覆うことができる。
【００５６】
また、図示の例にあっては、支持アーム２の前端部２０の下部に、この支持アーム２の下方にカバー体１の上部挿入板部１２を配した状態でのカバー体１の壁面Ｈ側への移動をこの上部挿入板部１２に突き当たって阻止する誤組み付け防止突部２８が形成してあることから、下部横板部１０は第二の挿入凹部２４に入り込むレベルにあるが、上部挿入板部１２は支持アーム２の前端部２０の下方に位置される状態（図１０の状態）においては、この誤組み付け防止突部２８の前面によって上部挿入板部１２がそれ以上壁面Ｈ側に移動できないように、つまり、下部横板部１０の第二の挿入凹部２４への入り込みを阻止することができ、下方からのカバー体１の取り付けを常に適切に行なうことができる。すなわち、図示の例では、誤組み付け防止突部２８の前面と第二の挿入凹部２４の入り口２４ｇとの間の水平方向でのストロークが、上部挿入板部１２の先端と下部挿入板部１３の先端との水平方向でのストロークよりも大きくなるようにしてある。
【００５７】
また、図示の例にあっては、支持アーム２の前端部２０の上部に、第一の挿入凹部２３の入り口２３ａとの間に間隔を開けて上方に突き出す引っ掛け突部２９が形成してあることから、照明器具を構成する光源Ｋの交換などをなすために支持アーム２側の掛合部２４ａとカバー体１側の被掛合部１３ａとの掛合を解く大きさの力でカバー体１を壁面Ｈから離れ出す向きに引っ張り、この掛合が解かれた場合であっても、この引っ掛け突部２９における壁面Ｈ側に向けられた側にカバー体１の上部挿入板部１２の先端を引っ掛けさせて、前記掛合を解かれたカバー体１が予期せず落下してしまわないようにすることができる。（図９）
【００５８】
なお、図示の例では、支持アーム２を構成するアーム主体部２５の前端部２０に形成された前方に向いた段差面２５ｃが、下方に向かうに連れてこのアーム主体部２５の最前端に近付く向きに傾斜した傾斜面となっており、この段差面２５ｃ（傾斜面）に突き当てられたカバー体１の上部挿入板部１２の先端をこの段差面２５ｃ（傾斜面）によって第一の挿入凹部２３の入り口２３ａに導けるようになっており、下方からの一対の支持アーム２、２に対するカバー体１の取り付けをより容易になすことができるようにしてある。
【００５９】
【発明の効果】
この発明にかかる照明カバーの取付構造によれば、間接照明効果を奏させることもできるように、照明装置を構成する光源の下方及び前方をカバー体の上部と天井との間に間隔を開けた状態で覆うことができると共に、このカバー体の取り付け及び取り外しをカバー体の横移動によって容易に行うことができる。
【図面の簡単な説明】
【図１】  支持アーム２の側面図
【図２】  同平面図
【図３】  図１におけるＡ−Ａ線断面図
【図４】  図１の左側から支持アーム２を見た状態の側面図
【図５】  図１の右側から支持アーム２を見た状態の側面図
【図６】  カバー体１の取り付け状態を示す正面図
【図７】  同側面図（カバー体１を断面にして示している。）
【図８】  カバー体１の斜視図
【図９】  支持アーム２との掛合が解かれたカバー体１が支持アーム２の引っ掛け突部２９にカバー体１の上部挿入板部１２を引っかけている状態を示す側面図（カバー体１を断面にして示している。）
【図１０】  支持アーム２の誤組み付け防止突部２８にカバー体１の上部挿入板部１２が突き当たっている状態を示す側面図（カバー体１を断面にして示している。）
【符号の説明】
Ｋ  光源
１  カバー体
１０  横板部
１１  縦板部
１２  上部挿入板部
１３  下部挿入板部
１３ａ  被掛合部
２  支持アーム
２０  前端部
２１  後端部
２２  取付部
２３  第一の挿入凹部
２４  第二の挿入凹部
２４ａ  掛合部
【図１】
0003848176.tif 000002
【図２】
0003848176.tif 000003
【図３】
0003848176.tif 000004
【図４】
0003848176.tif 000005
【図５】
0003848176.tif 000006
【図６】
0003848176.tif 000007
【図７】
0003848176.tif 000008
【図８】
0003848176.tif 000009
【図９】
0003848176.tif 000010
【図１０】
0003848176.tif 000011